(57)【要約】【課題】  省電力で見やすい電子ビューファインダー及びそれを用いた撮像装置を提供する。【解決手段】  物体像が表示される表示素子と、表示素子の像を観察者の眼に導く接眼光学系と、表示素子を照明する複数の照明系と、複数の照明系のうち１つ又は複数の照明系を選択する制御手段と、制御手段により制御される光学素子と、を備える。【選択図】図１
2009284121.tif 000002
【特許請求の範囲】
【請求項１】
物体像が表示される表示素子と、
前記表示素子の像を観察者の眼に導く接眼光学系と、
前記表示素子を照明する複数の照明系と、
前記複数の照明系のうち１つ又は複数の照明系を選択する制御手段と、
前記制御手段により制御される光学素子と、
を備えることを特徴とする電子ビューファインダー。
【請求項２】
前記光学素子は、反射機能を有することを特徴とする請求項１に記載の電子ビューファインダー。
【請求項３】
前記表示素子の明るさを検出する表示素子明るさ検出手段を有し、
前記表示素子明るさ検出手段の検出値に応じて、前記制御手段が前記照明系を選択することを特徴とする請求項１又は請求項２に記載の電子ビューファインダー。
【請求項４】
前記照明系の１つは、外光を取り込む外光照明系からなり、
前記外光の明るさを検出する外光明るさ検出手段を有し、
前記外光明るさ検出手段の検出値に応じて、前記制御手段が前記照明系を選択する
ことを特徴とする請求項１乃至請求項３のいずれか１つに記載の電子ビューファインダー。
【請求項５】
前記表示素子又は前記外光の明るさの変化量を検出する明るさ変化量検出手段を有し、
前記明るさ変化量検出手段の検出した明るさの変化量に応じて、前記制御手段が前記照明系を選択する
ことを特徴とする請求項１乃至請求項４のいずれか１つに記載の電子ビューファインダー。
【請求項６】
撮像素子と、画像を表示する画像表示素子と、前記撮像素子から得られた画像情報を前記画像表示素子にて表示可能な信号に変換するコントローラーと、前記画像表示素子に表示された画像を観察者の眼に導く電子ビューファインダーとを有し、
前記画像表示素子を前記観察面とし、前記電子ビューファインダーとして請求項１乃至請求項５のいずれか１つに記載の電子ビューファインダーを用いたことを特徴とする撮像装置。
【請求項７】
前記撮像装置の電源としての電池と、
電池の残量を検出する電池残量検出手段と、
を有し、
前記電池残量検出手段の検出した電池の残量に応じて、前記制御手段が前記照明系を選択する
ことを特徴とする請求項６に記載の撮像装置。
【請求項８】
前記撮像装置の使用状態を検出する使用状態検出手段と、
前記使用状態検出手段の検出した使用状態に応じて、前記制御手段が前記照明系を選択する
ことを特徴とする請求項６または請求項７に記載の撮像装置。
【請求項９】
前記制御手段は、前記照明系の選択の前後にホワイトバランスを制御する
ことを特徴とする請求項６乃至請求項８のいずれか１つに記載の撮像装置。
【請求項１０】
以下の条件式（１）を満足することを特徴とする請求項６乃至請求項９のいずれか１つに記載の撮像装置。
０．３５＜Ｈ／ｆ＜０．７０                          ・・・（１）
ただし、Ｈは前記表示素子の水平長、
ｆは前記接眼光学系の焦点距離、
である。
【発明の詳細な説明】
【技術分野】
【０００１】
本発明は、表示素子に表示された物体像を観察するための電子ビューファインダー及びそれを用いた撮像装置に関する。
【背景技術】
【０００２】
外光採光窓をポップアップ式のストロボ機構に併設し、ファインダー周辺の外光が暗い時に背面液晶パネルを点灯する撮像装置が開示されている（特許文献１）。
【特許文献１】特開２００３−１８９１３５号公報
【発明の開示】
【発明が解決しようとする課題】
【０００３】
特許文献１に記載された技術では、通常、外光をバックライトとして使用しているが、外光が暗い時には背面液晶パネルを点灯する構成となっており、電力を大きく消費してしまう。
【０００４】
本発明は従来技術のこれらの問題点に鑑みてなされたものであり、その目的は、省電力で見やすい電子ビューファインダー及びそれを用いた撮像装置を提供することである。
【課題を解決するための手段】
【０００５】
上記目的を達成する本発明に係る電子ビューファインダーは、物体像が表示される表示素子と、表示素子の像を観察者の眼に導く接眼光学系と、表示素子を照明する複数の照明系と、複数の照明系のうち１つ又は複数の照明系を選択する制御手段と、制御手段により制御される光学素子と、を備えることを特徴とする。
【０００６】
また、本発明に係る撮像装置は、撮像素子と、画像を表示する画像表示素子と、前記撮像素子から得られた画像情報を前記画像表示素子にて表示可能な信号に変換するコントローラーと、前記画像表示素子に表示された画像を観察者の眼に導く電子ビューファインダーとを有し、前記画像表示素子を前記観察面とし、前記電子ビューファインダーとして上記の電子ビューファインダーを用いたことを特徴とする。
【発明の効果】
【０００７】
以上の本発明によると、省電力で見やすい電子ビューファインダー及びそれを用いた撮像装置を得ることができる。
【発明を実施するための最良の形態】
【０００８】
本実施形態の電子ビューファインダーは、物体像が表示される表示素子と、表示素子の像を観察者の眼に導く接眼光学系と、表示素子を照明する複数の照明系と、複数の照明系のうち１つ又は複数の照明系を選択する制御手段と、制御手段により制御される光学素子と、を備える。
【０００９】
このような構成を備えることで、複数の照明系から選択して表示素子を照明することができる。その結果、省電力で見やすい電子ビューファインダーを実現することができる。
【００１０】
また、本実施形態の電子ビューファインダーでは、光学素子は、反射機能を有することが好ましい。
【００１１】
照明系の光路と、接眼光学系の光路とを重ねることができ、さらに見やすい電子ビューファインダーを実現することができる。
【００１２】
また、本実施形態の電子ビューファインダーは、表示素子の明るさを検出する表示素子明るさ検出手段を有し、表示素子明るさ検出手段の検出値に応じて、制御手段が照明系を選択することが好ましい。
【００１３】
明るさに応じて複数の照明系から選択して表示素子を照明することができるので、さらに省電力で見やすい電子ビューファインダーを実現することができる。
【００１４】
また、本実施形態の電子ビューファインダーでは、照明系の１つは、外光を取り込む外光照明系からなり、外光の明るさを検出する外光明るさ検出手段を有し、外光明るさ検出手段の検出値に応じて、制御手段が照明系を選択することが好ましい。
【００１５】
明るさに応じて複数の照明系から選択して表示素子を照明することができるので、さらに省電力で見やすい電子ビューファインダーを実現することができる。
【００１６】
また、本実施形態の電子ビューファインダーは、表示素子又は外光の明るさの変化量を検出する明るさ変化量検出手段を有し、明るさ変化量検出手段の検出した明るさの変化量に応じて、制御手段が照明系を選択することが好ましい。
【００１７】
明るさが十分にある場合でも、明るさの変化量が大きい場合は見づらくなるので、明るさの変化量に応じて、複数の照明系から選択して表示素子を照明することができるので、さらに省電力で見やすい電子ビューファインダーを実現することができる。
【００１８】
さらに、本実施形態の撮像装置は、撮像素子と、画像を表示する画像表示素子と、撮像素子から得られた画像情報を画像表示素子にて表示可能な信号に変換するコントローラーと、画像表示素子に表示された画像を観察者の眼に導く電子ビューファインダーとを有することが好ましい。そして、この電子ビューファインダーに、上記の電子ビューファインダーを用いる。
【００１９】
複数の照明系から選択して表示素子を照明することができるので、省電力で見やすい撮像装置を実現することができる。
【００２０】
また、本実施形態の撮像装置は、撮像装置の電源としての電池と、電池の残量を検出する電池残量検出手段と、を有し、電池残量検出手段の検出した電池の残量に応じて、制御手段が照明系を選択することが好ましい。
【００２１】
電池の残量に応じて複数の照明系から選択して表示素子を照明することができるので、さらに省電力で見やすい撮像装置を実現することができる。
【００２２】
また、本実施形態の撮像装置は、撮像装置の使用状態を検出する使用状態検出手段と、使用状態検出手段の検出した使用状態に応じて、制御手段が照明系を選択することが好ましい。
【００２３】
使用状態に応じて複数の照明系から選択して表示素子を照明することができるので、さらに省電力で見やすい撮像装置を実現することができる。
【００２４】
また、本実施形態の撮像装置では、制御手段は、照明系の選択の前後にホワイトバランスを制御することが好ましい。
【００２５】
照明系の選択の前後で見え方が変化することによる見づらさを低減することができる。
【００２６】
また、本実施形態の撮像装置は、以下の条件式（１）を満足することが好ましい。
０．３５＜Ｈ／ｆ＜０．７０                          ・・・（１）
ただし、Ｈは表示素子の水平長、
ｆは接眼光学系の焦点距離、
である。
【００２７】
条件式（１）の上限の０．７０を上回ると、焦点距離が短くなり、視野角に対する光量が落ち、好ましくない。
【００２８】
条件式（１）の下限の０．７０を下回ると、焦点距離が長くなり、視野角が狭く、見づらくなり、好ましくない。
【００２９】
以下、本実施形態の電子ビューファインダーについて図面を用いて説明する。
【００３０】
図１は、電子ビューファインダーの第１実施形態にかかる光学構成を示す光軸に沿う断面図である。
【００３１】
第１実施形態の電子ビューファインダーは、物体像が形成される液晶表示素子ＬＣＤと、液晶表示素子ＬＣＤの像を観察者の眼に導く接眼光学系Ｏと、液晶表示素子ＬＣＤを照明する複数の照明Ｐと、複数の照明Ｐのうち１つ又は複数の照明Ｐを選択するように制御される光学素子Ｏｄと、制御手段と、を備えている。ここで、光学素子Ｏｄは、ハーフミラー等からなる。なお、制御手段は図示を省略している。
【００３２】
電子ビューファインダーは、複数の照明系Ｐとして外光照明系Ｐｏとバックライト照明Ｐ１とを有する。外光照明系Ｐｏは、外光を取り込むことができるように構成されていればよい。例えば、外光照明系Ｐｏは、電子ビューファインダーあるいは撮像装置の外装部に設けられた単なる開口で良い。あるいは、この開口から取り込んだ光を所定の位置まで導くために、外光照明系Ｐｏは光学系を備えていても良い。この光学系は、レンズやミラーなどで構成されていても良い。
【００３３】
外光照明系Ｐｏは、接眼光学系Ｏの光路上に位置している。また、液晶表示素子ＬＣＤも、接眼光学系Ｏの光路上に位置している。これらの部材は、観察者側から、接眼光学系Ｏ、液晶表示素子ＬＣＤ、外光照明系Ｐｏの順に位置している。一方、バックライト照明Ｐ１は、接眼光学系Ｏの光路外に位置している。
【００３４】
そして、外光照明系Ｐｏと液晶表示素子ＬＣＤとの間に、光学素子Ｏｄが配置可能になっている。この光学素子Ｏｄは、一端側を回転中心として回動するようになっている。なお、光学素子Ｏｄを駆動するために、駆動装置（不図示）が設けられている。この回動により、光学素子Ｏｄは第１の位置または第２の位置に移動する。
【００３５】
ここで、図１（ａ）に示すように、第１の位置は、光学素子Ｏｄが光路外に移動しているときの位置である。この第１の位置では、外光照明系Ｐｏのみを使用して液晶表示素子ＬＣＤの照明が行われる。なお、第１の位置では、光学素子Ｏｄはバックライト照明Ｐ１と同じ側に位置している。
【００３６】
また、図１（ｂ）に示すように、第２の位置は、光学素子Ｏｄが光路内に移動しているときの位置である。このとき、第１バックライト照明Ｐ１からの照明光が液晶表示素子Ｌ
ＣＤに向かうように、光学素子Ｏｄが配置される。具体的には、光学素子Ｏｄの反射面が光軸に対して４５度となる。この第２の位置では、外光照明Ｐｏと第１バックライト照明Ｐ１を使用して、液晶表示素子ＬＣＤの照明が行われる。このように、本実施系形態の電子ビューファインダーでは、２つの照明方法のうちの１つを選択することができる構成となっている。
【００３７】
図２は、電子ビューファインダー及び撮像装置のシステムブロック図である。
【００３８】
図２に示すように、電子ビューファインダーは、更に、検出手段５０を備えている。電子ビューファインダーでは、この検出手段５０により検出された状態に基づいて、光学素子Ｏｄ、第１バックライト照明Ｐ１及び第２バックライト照明Ｐ２を制御するものである。なお、光学素子Ｏｄ、第１バックライト照明Ｐ１及び第２バックライト照明Ｐ２を制御は、制御手段６０により行なわれる。
【００３９】
本実施形態では、検出手段５０のうち、明るさ検出手段５１と明るさ変化検出手段５２は、電子ビューファインダーに設けられている。一方、電池残量検出手段５３及び使用状況検出手段５４は、撮像装置本体に設けられている。なお、各検出手段は、電子ビューファインダーと撮像装置本体のどちらに設けられていても良い。
【００４０】
明るさ検出手段５１は、外部（撮影対象の周囲）の明るさや液晶表示素子ＬＣＤの明るさを検出するものである。外部の明るさは、図示しない外光取込口から取り込むことができる。また、明るさ変化検出手段５２は、外部（撮影対象の周囲）の明るさや液晶表示素子ＬＣＤの明るさの変化を検出するものである。なお、明るさ検出手段５１と明るさ変化検出手段５２を合わせて、１つの手段にしても良い。
【００４１】
電池残量検出手段５３は、撮像装置の電池残量を検出するものである。また、使用状況検出手段５４は、撮像装置の使用状況、例えば、負荷の大きさを検出するものである。
【００４２】
図３は、第１実施形態の電子ビューファインダーの制御フローチャートを示す図である。
【００４３】
まず、ステップ１で、明るさ検出手段５１により、明るさを検出する（ＳＴ１）。続いて、ステップ２で、制御手段６０により、明るさが所定値Ａ以上か否か判断する（ＳＴ２）。
【００４４】
ステップ２の処理において、明るさが所定値Ａ以上であると判断した場合、ステップ３で、明るさ変化検出手段５２により、明るさの変化を検出する（ＳＴ３）。続いて、ステップ４で、制御手段６０により、明るさの変化が所定値Ｂ以下か否か判断する（ＳＴ４）。
【００４５】
ステップ４の処理において、明るさの変化が所定値Ｂ以下であると判断した場合、ステップ９で、光学素子Ｏｄを外光照明Ｐｏ側に切り替え（ＳＴ９）、制御を終了する。
【００４６】
ステップ２の処理において、明るさが所定値Ａ以上でないと判断した場合、又は、ステップ４の処理において、明るさの変化が所定値Ｂ以下でないと判断した場合、ステップ５で、電池残量検出手段５３により、撮像装置の電池の残量を検出する（ＳＴ５）。続いて、ステップ６で、制御手段６０により、電池の残量が所定値Ｃ以下か否か判断する（ＳＴ６）。
【００４７】
ステップ６の処理において、電池の残量が所定値Ｃ以下であると判断した場合、ステッ
プ９で、光学素子Ｏｄを外光照明Ｐｏ側に切り替え（ＳＴ９）、制御を終了する。
【００４８】
ステップ６の処理において、電池の残量が所定値Ｃ以下でないと判断した場合、ステップ７で、使用状態検出手段５４により、撮像装置の使用状態、例えば負荷電力等を検出する（ＳＴ７）。続いて、ステップ８で、制御手段６０により、負荷電力等が所定値Ｄ以上か否か判断する（ＳＴ８）。
【００４９】
ステップ８の処理において、負荷電力等が所定値Ｄ以上であると判断した場合、ステップ９で、光学素子Ｏｄを外光照明Ｐｏ側に切り替え（ＳＴ９）、制御を終了する。
【００５０】
ステップ８の処理において、負荷電力等が所定値Ｄ以上でないと判断した場合、ステップ１０で、光学素子Ｏｄをバックライト照明Ｐ側に切り替え（ＳＴ１０）、制御を終了する。
【００５１】
図４は、本発明による電子ビューファインダーの第２実施形態にかかる光学構成を示す光軸に沿う断面図である。
【００５２】
第２実施形態の電子ビューファインダーは、複数の照明系Ｐとして外光照明系Ｐｏとバックライト照明Ｐ１とを有する。外光照明Ｐｏは、接眼光学系Ｏの光路上に位置している。また、液晶表示素子ＬＣＤも、接眼光学系Ｏの光路上に位置している。これらの部材は、観察者側から、接眼光学系Ｏ、液晶表示素子ＬＣＤ、外光照明系Ｐｏの順に位置している。一方、バックライト照明Ｐ１は、接眼光学系Ｏの光路外に位置している。
【００５３】
そして、本実施形態の電子ビューファインダーは、接眼光学系Ｏと液晶表示素子ＬＣＤとの間に、光学素子Ｏｄが配置可能になっている。本実施形態の電子ビューファインダーでは、外光照明Ｐｏを液晶表示素子ＬＣＤに対して光学素子Ｏｄと反対側に配置し、バックライト照明Ｐ１を光学素子Ｏｄにより曲げられた光路に対応して配置する。なお、第１実施形態と同様に、この光学素子Ｏｄは、一端側を回転中心として回動するようになっている。回動により、光学素子Ｏｄは第１の位置または第２の位置に移動する。
【００５４】
このように構成された電子ビューファインダーでは、光学素子Ｏｄを回動することにより、光学素子Ｏｄは第１の位置または第２の位置に移動する。図４（ａ）に示すように、第１の位置では外光照明Ｐｏのみを使用する状態になる。また、図４（ｂ）に示すように、第２の位置では外光照明Ｐｏとバックライト照明Ｐ１を使用する状態になる。このように、本実施系形態の電子ビューファインダーでも、２つの照明方法のうちの１つを選択することができる構成となっている。
【００５５】
第２実施形態のシステムブロック図及び制御フローチャート図は、図２及び図３に示した第１実施形態のシステムブロック図及び制御フローチャート図と同様である。
【００５６】
図５は、電子ビューファインダーの第３実施形態にかかる光学構成を示す光軸に沿う断面図である。
【００５７】
第３実施形態の電子ビューファインダーは、複数の照明系Ｐとして、第１バックライト照明Ｐ１と第２バックライト照明Ｐ２を有する。第２バックライト照明Ｐ２は、第１バックライト照明Ｐ１より明るい照明光を発する。本実施形態では、接眼光学系Ｏの光路上に位置しているのは、液晶表示素子ＬＣＤである。一方、第１バックライト照明Ｐ１と第２バックライト照明Ｐ２は、接眼光学系Ｏの光路外に位置している。
【００５８】
そして、接眼光学系Ｏと液晶表示素子ＬＣＤとの間に、光学素子Ｏｄが配置可能になっ
ている。本実施形態の電子ビューファインダーでは、第１バックライト照明Ｐ１を、光学素子Ｏｄの液晶表示素子ＬＣＤ側の面により曲げられた光路に対応して配置している。また、第２バックライト照明Ｐ２を、光学素子Ｏｄの接眼光学系Ｏ側の面により曲げられた光路に対応して配置している。なお、この光学素子Ｏｄは、中心部を回転中心として回動するようになっている。回動により、光学素子Ｏｄは第１の位置または第２の位置に位置する。
【００５９】
このように構成された電子ビューファインダーでは、光学素子Ｏｄを回動することにより、光学素子Ｏｄは第１の位置または第２の位置に位置する。図５（ａ）に示すように、第１の位置では第１バックライト照明Ｐ１を使用する状態になる。また、図５（ｂ）に示すように、第２の位置では第２バックライト照明Ｐ２を使用する状態になる。このように、本実施系形態の電子ビューファインダーでも、２つの照明方法のうちの１つを選択することができる構成となっている。
【００６０】
第３実施形態のシステムブロック図は、図２に示した第１実施形態のシステムブロック図と同様である。
【００６１】
図６は、第３実施形態の電子ビューファインダーの制御フローチャートを示す図である。
【００６２】
まず、ステップ１１で、明るさ検出手段５１により、明るさを検出する（ＳＴ１１）。続いて、ステップ１２で、制御手段６０により、明るさが所定値Ａ以上か否か判断する（ＳＴ１２）。
【００６３】
ステップ１２の処理において、明るさが所定値Ａ以上であると判断した場合、ステップ１３で、明るさ変化検出手段５２により、明るさの変化を検出する（ＳＴ１３）。続いて、ステップ１４で、制御手段６０により、明るさの変化が所定値Ｂ以下か否か判断する（ＳＴ１４）。
【００６４】
ステップ１４の処理において、明るさの変化が所定値Ｂ以下であると判断した場合、ステップ１９で、光学素子Ｏｄを第１バックライト照明Ｐ１側に切り替え（ＳＴ１９）、制御を終了する。
【００６５】
ステップ１２の処理において、明るさが所定値Ａ以上でないと判断した場合、又は、ステップ１４の処理において、明るさの変化が所定値Ｂ以下でないと判断した場合、ステップ１５で、電池残量検出手段５３により、撮像装置の電池の残量を検出する（ＳＴ１５）。続いて、ステップ１６で、制御手段６０により、電池の残量が所定値Ｃ以下か否か判断する（ＳＴ１６）。
【００６６】
ステップ１６の処理において、電池の残量が所定値Ｃ以下であると判断した場合、ステップ１９で、光学素子Ｏｄを第１バックライト照明Ｐ１側に切り替え（ＳＴ１９）、制御を終了する。
【００６７】
ステップ１６の処理において、電池の残量が所定値Ｃ以下でないと判断した場合、ステップ１７で、使用状態検出手段５４により、撮像装置の使用状態、例えば負荷電力等を検出する（ＳＴ１７）。続いて、ステップ１８で、制御手段６０により、負荷電力等が所定値Ｄ以上か否か判断する（ＳＴ１８）。
【００６８】
ステップ１８の処理において、負荷電力等が所定値Ｄ以上であると判断した場合、ステップ１９で、光学素子Ｏｄを第１バックライト照明Ｐ１側に切り替え（ＳＴ１９）、制御
を終了する。
【００６９】
ステップ１８の処理において、負荷電力等が所定値Ｄ以上でないと判断した場合、ステップ２０で、光学素子Ｏｄを第２バックライト照明Ｐ２側に切り替え（ＳＴ２０）、制御を終了する。
【００７０】
図７は、電子ビューファインダーの第４実施形態にかかる光学構成を示す光軸に沿う断面図である。
【００７１】
第４実施形態の電子ビューファインダーは、複数の照明系Ｐとして、外光照明Ｐｏ、第１バックライト照明Ｐ１及び第２バックライト照明Ｐ２を有する。本実施形態では、接眼光学系Ｏと液晶表示素子ＬＣＤとの間に、光学素子Ｏｄが配置可能になっている。また、外光照明Ｐ１を、液晶表示素子ＬＣＤに対して光学素子Ｏｄと反対側に配置している。また、第１バックライト照明Ｐ１を、光学素子Ｏｄの液晶表示素子ＬＣＤ側の面により曲げられた光路に対応して配置している。また、第２バックライト照明Ｐ２を、光学素子Ｏｄの接眼光学系Ｏ側の面により曲げられた光路に対応して配置している。
【００７２】
このように構成された電子ビューファインダーは、光学素子Ｏｄを回動することにより、図７（ａ）に示すように、外光照明Ｐｏのみを使用する状態と、図７（ｂ）に示すように、外光照明Ｐｏと第１バックライト照明Ｐ１を使用する状態と、図７（ｃ）に示すように、外光照明Ｐｏと第２バックライト照明Ｐ２を使用する状態になる。このように、本実施形態の電子ビューファインダーは、３つの照明方法のうちの１つを選択することができる。
【００７３】
第４実施形態のシステムブロック図は、図２に示した第１実施形態のシステムブロック図と同様である。
【００７４】
図８は、第４実施形態の電子ビューファインダーの制御フローチャートを示す図である。
【００７５】
まず、ステップ２１で、明るさ検出手段５１により、明るさを検出する（ＳＴ２１）。続いて、ステップ２２で、制御手段６０により、明るさが所定値Ａ以上か否か判断する（ＳＴ２２）。
【００７６】
ステップ２２の処理において、明るさが所定値Ａ以上であると判断した場合、ステップ２３で、明るさ変化検出手段５２により、明るさの変化を検出する（ＳＴ２３）。続いて、ステップ２４で、制御手段６０により、明るさの変化が所定値Ｂ以下か否か判断する（ＳＴ２４）。
【００７７】
ステップ２４の処理において、明るさの変化が所定値Ｂ以下であると判断した場合、ステップ２９で、光学素子Ｏｄを外光照明Ｐｏ側に切り替え（ＳＴ２９）、制御を終了する。
【００７８】
ステップ２２の処理において、明るさが所定値Ａ以上でないと判断した場合、又は、ステップ２４の処理において、明るさの変化が所定値Ｂ以下でないと判断した場合、ステップ２５で、電池残量検出手段５３により、撮像装置の電池の残量を検出する（ＳＴ２５）。続いて、ステップ２６で、制御手段６０により、電池の残量が所定値Ｃ以下か否か判断する（ＳＴ２６）。
【００７９】
ステップ２６の処理において、電池の残量が所定値Ｃ以下であると判断した場合、ステ
ップ３０で、光学素子Ｏｄを第１バックライト照明Ｐ１側に切り替え（ＳＴ３０）、制御を終了する。
【００８０】
ステップ２６の処理において、電池の残量が所定値Ｃ以下でないと判断した場合、ステップ２７で、使用状態検出手段５４により、撮像装置の使用状態、例えば負荷電力等を検出する（ＳＴ２７）。続いて、ステップ２８で、制御手段６０により、負荷電力等が所定値Ｄ以上か否か判断する（ＳＴ２８）。
【００８１】
ステップ２８の処理において、負荷電力等が所定値Ｄ以上であると判断した場合、ステップ３０で、光学素子Ｏｄを第１バックライト照明Ｐ１側に切り替え（ＳＴ３０）、制御を終了する。
【００８２】
ステップ２８の処理において、負荷電力等が所定値Ｄ以上でないと判断した場合、ステップ３１で、光学素子Ｏｄを第２バックライト照明Ｐ２側に切り替え（ＳＴ３１）、制御を終了する。
【００８３】
図９は、電子ビューファインダーに用いる接眼光学系の第１実施例の光学構成を示す光軸に沿う断面図である。第１実施例の接眼光学系は、第１実施形態の電子ビューファインダーに用いることが可能である。
【００８４】
第１実施例の電子ビューファインダーは、物体像が表示される液晶表示素子ＬＣＤと、接眼光学系Ｏとを備えている。なお、図９において、Ｅはアイポイント（仮想絞り）である。
【００８５】
第１実施例の接眼光学系は、液晶表示素子ＬＣＤ側より順に、両凹負レンズと両凸正レンズの接合レンズからなる前群としての前レンズ成分Ｌｆと、両凸正レンズからなる後群としての後レンズ成分Ｌｒとで構成されている。
【００８６】
図１０は、電子ビューファインダーに用いる接眼光学系の第２実施例の光学構成を示す光軸に沿う断面図である。第２実施例の接眼光学系は、第２実施形態乃至第４実施形態の電子ビューファインダーに用いることが可能である。
【００８７】
第２実施例の電子ビューファインダーは、物体像が形成される液晶表示素子ＬＣＤと、接眼光学系Ｏと、照明光学系Ｐとを備えている。なお、図１０において、Ｅはアイポイント（仮想絞り）である。
【００８８】
接眼光学系Ｏは、反射型表示素子ＬＣＤ側より順に、両凹負レンズと両凸正レンズの接合レンズからなる前群としての第１レンズ成分Ｌ１と、光源から出射した光で反射型表示素子ＬＣＤを照明する照明光学系Ｐの光路と反射型表示素子ＬＣＤから接眼光学系Ｏへの光路とを重ねる光学素子Ｏｄと、両凸正レンズからなる後群としての第２レンズ成分Ｌ２とで構成されている。
【００８９】
第２実施例では、最もアイポイント側の正レンズを移動させる構成となっている。図１１（ａ）は視度１ｍ-1の場合、図１１（ｂ）は視度−１ｍ-1の場合、図１１（ｃ）は視度−３ｍ-1の場合を示す。
【００９０】
なお、第１及び第２実施例では、仮想絞の位置がアイポイントＥの位置と一致しているが、必ずしも両者の位置を一致させる必要はない。
【００９１】
以下に、上記実施例１及び実施例２の数値データを示す。また各条件式の値もまとめて
示す。
【００９２】
これら実施例の数値データ及び各条件式の値は、ｒは各レンズ面の曲率半径、ｄは各レンズ面間の間隔、ｎは各レンズのｄ線の屈折率、νは各レンズのアッベ数である。また、像面のｒはそれぞれの曲率半径である。
【００９３】
数値実施例１
単位     ｍｍ
面データ
面番号                  ｒ         ｄ        ｎｄ      νｄ    有効径
1（観察面)           ∞        可変                         17.74
2                 -89.444      1.50     1.80518    25.42    17.72
3                  18.127      7.97     1.51633    64.14    18.09
4                 -18.300     19.07                         19.06
5                  50.973      6.64     1.48749    70.23    16.89
6                 -28.519      可変                         16.05
7（仮想絞り）        ∞
変化量
視度(m-1)        +1       -1       -3 
D1           7.12     5.22     3.42 
D8          21.10    23.00    24.80 
各種データ
視度(m-1)        +1       -1       -3 
視野角          32.64°  32.90°  32.98°
全長            42.30    40.40    38.60 
入射瞳位置     183.06   272.67   513.20 
焦点距離            30.7
前側主点位置      24.53 
後側主点位置      -2.16 
物体高             8.88
各レンズ焦点距離
前レンズ成分              141.18
前レンズ成分負レンズ      -18.60
前レンズ成分正レンズ       19.06
後レンズ成分               38.57
【００９４】
数値実施例２
単位     ｍｍ
面データ
面番号                  ｒ         ｄ        ｎｄ      νｄ    有効径
1（反射型表示素子)   ∞        5.22                         17.74
2                 -89.444      1.50     1.80518    25.42    17.72
3                  18.127      7.97     1.51633    64.14    18.09
4                 -18.300      可変                         19.06
5                  50.973      6.64     1.48749    70.23    16.89
6                 -28.519      可変                         16.05
7（仮想絞り）        ∞
変化量
視度(m-1)        +1       -1       -3 
d4          22.07    19.07    16.17 
d6          21.10    24.00    26.90 
各種データ
視度(m-1)        +1       -1       -3 
視野角          31.90°  32.88°  33.32°
全長            38.18    35.18    32.28 
入射瞳位置     132.90   206.80   512.31 
焦点距離        31.23    30.70    30.21
前側主点位置     8.35     8.48     8.51
後側主点位置    38.18    35.18    32.28
物体高           8.88
各レンズ焦点距離
第１レンズ成分              141.18
第１レンズ成分中負レンズ    -18.60
第１レンズ成分中正レンズ     19.06
第２レンズ成分               38.57
【００９５】
実施例１      実施例２
条件式 (１)       0.46        0.45〜0.47
【００９６】
以上の実施例１及び実施例２の収差図を図１１及び図１２に示す。この収差図において、ＳＡは球面収差、ＡＳは非点収差、ＤＴは歪曲収差、ＤＺＹはコマ収差を示す。各図中、ＦＮＯはＦナンバー、ＦＩＹは像高を示す。
【００９７】
図１３は、本発明の撮像装置の一例であるデジタルカメラの構成を示す図である。図１３において、符号１０は撮像装置であるデジタルカメラで、撮像光学系１と、フィルター２と、撮像素子３と、コントローラー４と、内蔵メモリー５と、電子ビューファインダー６と、インターフェイス７とより構成されている。
【００９８】
上記撮像装置において、撮像光学系１は複数の光学素子（レンズ等）にて構成されている。物体より発した光は、この撮像光学系１により集光され、この集光位置に物体像が形成される。そして、この集光位置には、ＣＣＤ等の撮像素子３（受光面）が配置されている。撮像素子３は、規則正しく配置された光電変換素子の集まりよりなっている。また、モアレ現象の発生を防止するために、ローパス効果を持つフィルター２が撮像光学系１と撮像素子３の間に配置されている。また、赤外光をカットするための赤外カットフィルターを配置することもある。
【００９９】
撮像素子３に入射した光束は、その光電変換素子により電気信号（画像信号）に変換さ
れる。この電気信号は、コントローラー４に入力される。ここで、コントローラー４により、ガンマー補正や画像圧縮処理等の信号処理が電気信号に対して行なわれる。信号処理が施された電気信号は、内蔵メモリー５やインターフェイス７を介してパーソナルコンピューター９等に出力される。
【０１００】
電子ビューファインダー６は、照明系、画像表示素子（図７には示していない）及び接眼光学系（接眼レンズ）等で構成されている。ここで、接眼光学系には、上記実施例の接眼光学系Ｏが用いられている。また、観察面Ｄには、画像表示素子が配置されている。画像表示素子としては、透過型（第１実施形態）と反射型（第２実施形態）のいずれかが用いられている。この画像表示素子は、コントローラー４によって制御されている。このような構成により、電子ビューファインダー６では、撮像しようとする物体の像や撮像された画像を観察者が観察し得るようになっている。また、内蔵メモリー５から補助メモリー８へ画像データを送ることできる。一方、インターフェイス７からは同じ画像データをパーソナルコンピューター９へ送ることができる。
【０１０１】
図１４は、本発明の撮像装置を銀塩カメラに適用した場合の構成を示すものである。図１４に示すように、銀塩カメラ２０は、撮像光学系１１と、フィルム１２と、対物レンズ１３と、ＣＣＤ等の撮像素子１４と、第１のコントローラー１５と、他の第２のコントローラー１６とを有する。そして、さらに、図５のデジタルカメラと同様に、内蔵メモリー５と、電子ビューファインダー６とを備えている。なお、図示されているように、撮像光学系１１と対物レンズ１３とは、別の異なる光学系である。
【０１０２】
この図１４に示す銀塩カメラ２０では、物体からの光束は撮像光学系１１により集光され、この集光位置（第１集光位置）に物体像が形成される。第１集光位置には、フィルム１２が配置されている。また、物体より発した光束は、対物レンズ１３により集光され、この集光位置（第２集光位置）に物体像が形成される。この第２集光位置には、ＣＣＤ等の撮像素子１４が配置されている。撮像素子１４は、規則正しく配置された光電変換素子の集まりよりなっている。
【０１０３】
この撮像素子１４に入射した光束は、光電変換素子にて電気信号（画像信号）に変換される。この電気信号は、第１のコントローラー１５に入力される。この第１のコントローラー１５により、ガンマー補正や画像圧縮処理等の信号処理が行なわれる。信号処理が施された電気信号は、画像表示素子へ送られる。上述のように、電子ビューファインダー６は、照明系、画像表示素子及び接眼光学系（接眼レンズ）等で構成されている。接眼光学系には、本実施形態の鑑札光学系Ｏが用いられている。この電子ビューファインダー６を介して、撮像しようとする物体の像を撮像者は観察し得る。
【０１０４】
一方、内蔵メモリー５に蓄積された情報等を用いて、撮像で得られた画像を使用者（観察者）は観察し得る。このような制御は、第１のコントローラー１５により行なわれる。
【０１０５】
また、撮像光学系１１を制御するためのものとして、第２のコントローラー１６を備えている。第２のコントローラー１６は、撮像光学系１１に対してズーミングやフォーカシング等の動作を行わせる。ズーミングやフォーカシング等の情報は、この第２のコントローラー１６からの信号を基に第１のコントローラー１５にて認識される。第１のコントローラー１５は、この認識により、画像表示素子に表示する像を撮像画角（ズーミング）に合わせて調節し得る。また、フォーカシング等の情報に基づいて、表示素子に表示される像の範囲の補正（パララックス補正）を行なうようにしてもよい。また、第１のコントローラー１５よりの信号は、内蔵メモリー５や図示してないインターフェイスへ送られるようにしても良い。そして、これらの信号（情報）を、インターフェイスを介してパーソナルコンピューター等に出力するようにしてもよい。
【０１０６】
また、撮像光学系１１とフィルム１２の間に光路分割素子を配置しても良い。この光路分割素子を介して物体からの光束を撮像素子１４に導き、撮像素子１４に物体の像を形成しても良い。そして、この物体像を基に観察を行なうようにしてもよい。この場合、対物レンズ１３を用いる必要が無い。
【図面の簡単な説明】
【０１０７】
【図１】本発明に係る電子ビューファインダーの第１実施形態を示す図である。
【図２】本発明に係る電子ビューファインダーの第１実施形態のシステムブロック図である。
【図３】本発明に係る電子ビューファインダーの第１実施形態の制御フローチャート図である。
【図４】本発明に係る電子ビューファインダーの第２実施形態を示す図である。
【図５】本発明に係る電子ビューファインダーの第３実施形態を示す図である。
【図６】本発明に係る電子ビューファインダーの第３実施形態の制御フローチャート図である。
【図７】本発明に係る電子ビューファインダーの第４実施形態を示す図である。
【図８】本発明に係る電子ビューファインダーの第４実施形態の制御フローチャート図である。
【図９】本発明に係る接眼光学系の実施例１を示す図である。
【図１０】本発明に係る接眼光学系の実施例２を示す図である。
【図１１】実施例１の接眼光学系の収差図である。
【図１２】実施例２の接眼光学系の収差図である。
【図１３】本発明の撮像装置の一例であるデジタルカメラの構成を示す図である。
【図１４】本発明の撮像装置を銀塩カメラに適用した場合の構成を示す図である。
【符号の説明】
【０１０８】
１…撮像光学系
２…フィルター
３…撮像素子
４…コントローラー
５…内蔵メモリー
６…電子ビューファインダー
７…インターフェイス
８…補助メモリー
９…パーソナルコンピューター
１０…デジタルカメラ
１１…撮像光学系
１２…フィルム
１３…対物レンズ
１４…撮像素子
１５…第１のコントローラー
１６…第２のコントローラー
２０…銀塩カメラ
【図１】
2009284121.tif 000003
【図２】
2009284121.tif 000004
【図３】
2009284121.tif 000005
【図４】
2009284121.tif 000006
【図５】
2009284121.tif 000007
【図６】
2009284121.tif 000008
【図７】
2009284121.tif 000009
【図８】
2009284121.tif 000010
【図９】
2009284121.tif 000011
【図１０】
2009284121.tif 000012
【図１１】
2009284121.tif 000013
【図１２】
2009284121.tif 000014
【図１３】
2009284121.tif 000015
【図１４】
2009284121.tif 000016